(57)【要約】【課題】キャップの装飾性を向上する飾り具をキャップに取り付けると飾り具の一部が浮き上がってしまい、取り外れてしまう恐れがあった。【解決手段】飾り具１とキャップ本体２で構成された筆記具用キャップにおいて、飾り具１は嵌合部を有する天井面１１と表示面１２を略直角に形成し、飾り具１の表示面１２の後方の端面１７に突起部１８を形成する。キャップ本体２は外周部２２に窪部２３を形成し、後方の端部２６に挿入孔２７を形成する。飾り具１とキャップ本体２の嵌合後において、飾り具１の突起部１８がキャップ本体２の挿入孔２７に挿入する。【選択図】図３
2010173188.tif 000002
【特許請求の範囲】
【請求項１】
先端部にペン芯を有する筆記具本体に対し、前記ペン芯を囲繞し外部空間との空気の流通を遮断し、着脱可能に嵌合する筆記具用キャップであって、キャップは飾り具とキャップ本体から構成され、前記飾り具は前記キャップ本体と嵌合する嵌合部と表示面を有し、前記キャップ本体と嵌合した際、前記飾り具の表示面の浮き上がり防止手段を設けたことを特徴とする筆記具用キャップ。
【請求項２】
前記飾り具は表示面の端部に突起部を形成し、前記キャップ本体は外周部と前記飾り具と嵌合する被嵌合部を有する天井部を形成し、前記外周部には窪部を形成し、前記窪部の端部に挿入孔を形成し、前記飾り部の嵌合部と前記キャップ本体の被嵌合部とが嵌合する時にキャップ本体の挿入孔内に飾り具の突起部が入っていることを特徴とする請求項１記載の筆記具用キャップ。
【請求項３】
キャップ本体と飾り具の嵌合時において、前記挿入孔と前記突起部には微小な隙間が確保されている請求項２記載の筆記具用キャップ。
【請求項４】
前記飾り具には天井面を有し、前記天井面と表示面は略直角に形成し、更に前記天井面の裏面に嵌合部を形成し、前記キャップ本体の嵌合部は天井部の略中央に形成していることを特徴とする請求項３記載の筆記具用キャップ。
【発明の詳細な説明】
【技術分野】
【０００１】
この発明は、筆記具のキャップに関する。
【背景技術】
【０００２】
筆記具に取り付けられるキャップは、未使用時におけるペン芯への損傷防止が本来の目的である。しかし筆記具の特徴を際立たせる目的もあり、その手段としてクリップや飾り具を取り付ける方法がある。但しクリップでは大きくかさ張る欠点があるので、それを避けつつ装飾性を挙げるために飾り具を取り付けることがある（特許文献１）。また嵌合部を二つにしたり（特許文献２）、嵌合部と段部とを組み合わせて（特許文献３）キャップ本体と飾り具との取付強度をアップし容易に取り外れの恐れが無いようにしている。
【先行技術文献】
【特許文献】
【０００３】
【特許文献１】特開２００５−１９９７２３
【特許文献２】特開２００２−１９２８８９
【特許文献３】特開２００４−２２３７２１
【発明の概要】
【発明が解決しようとする課題】
【０００４】
しかし、上記飾り具とキャップ本体との接続に関する技術において、キャップの装飾をアピールする表示部分をキャップの天井面ではなく側面にした場合において、使用中に飾り具の表示部分を手や爪で引っ掛けて、容易に表示部が浮き上がってしまい、飾り具が取り外れてしまう恐れがあった。
【課題を解決するための手段】
【０００５】
そこで、本発明者は鋭意開発を進め、表示部の浮き上がりを防止し、上記問題点を解決するために以下の発明をするに至った。
（１）先端部にペン芯を有する筆記具本体に対し、前記ペン芯を囲繞し外部空間との空気の流通を遮断し、着脱可能に嵌合する筆記具用キャップであって、キャップは飾り具とキャップ本体から構成され、前記飾り具は前記キャップ本体と嵌合する嵌合部と表示面を有し、前記キャップ本体と嵌合した際、前記飾り具の表示面の浮き上がり防止手段を設けたことを特徴とする筆記具用キャップ。
（２）前記飾り具は表示面の端部に突起部を形成し、前記キャップ本体は外周部と前記飾り具と嵌合する被嵌合部を有する天井部を形成し、前記外周部には窪部を形成し、前記窪部の端部に挿入孔を形成し、前記飾り部の嵌合部と前記キャップ本体の被嵌合部とが嵌合する時にキャップ本体の挿入孔内に飾り具の突起部が入っていることを特徴とする（１）記載の筆記具用キャップ。
（３）キャップ本体と飾り具の嵌合時において、前記挿入孔と前記突起部には微小な隙間が確保されている（２）記載の筆記具用キャップ。
（４）前記飾り具には天井面を有し、前記天井面と表示面は略直角に形成し、更に前記天井面の裏面に嵌合部を形成し、前記キャップ本体の嵌合部は天井部の略中央に形成していることを特徴とする（３）記載の筆記具用キャップ。
【発明の効果】
【０００６】
本発明は上記のように構成されているので、次の効果を奏する。
キャップ本体と飾り具が嵌合した時に飾り具の表示部に対して手や爪による引っ掛りによる飾り具の取り外れを防止できる。飾り具の表示部が浮き上がらないことで、表示部の表示状態を良好に維持することが出来る。また、微小な隙間を形成することでキャップ本体と飾り具を容易に組み立てることが出来る。
【図面の簡単な説明】
【０００７】
【図１】本発明の実施形態に係るキャップを装着している筆記具全体の組図及び斜視図である。
【図２】本発明の実施形態に係るキャップを装着している筆記具全体の側面からの断面図である。
【図３】本発明の実施形態に係る飾り具の部品図である。
【図４】本発明の実施形態に係るキャップ本体の部品図である。
【図５】飾り具のキャップ本体への取り付け順を示した斜視図である。
【図６】本発明の実施形態に係るキャップ本体と飾り具を嵌合したキャップの部品図である。
【発明を実施するための形態】
【０００８】
次に、本発明の実施形態について、図面を参照して説明する。
本出願において、筆記するペン先側の方向を「前方」、その逆側の方向を「後方」としている。
【０００９】
本発明の実施形態を筆記具として組み上げたときの組立図を図１に示す。図１（ａ）は前方からの図、図１（ｂ）は平面図、図１（ｃ）は正面図、図１（ｄ）は背面図、図１（ｅ）は後方からの図、図１（ｆ）は斜視図となっている。図１（ｃ）の断面図を図２に示す。
【００１０】
これらの図に示す通り、ここに示す筆記具は、先軸３と後軸４を組み合わせることでインクを貯留すると共に弁棒５、ペン芯６、口金７、中芯８等を保持するごく一般のマーキングペンの構成となっている。勿論本発明はマーキングペンのみならずボールペン等の筆記具用のキャップに使えるのは言うまでもない。キャップ本体２と飾り具１が嵌合し一体のキャップとなる。キャップは先軸３と嵌合することで、ペン芯６を囲繞し外部空間との空気の流通を遮断することが出来るので、ペン芯６の乾燥等を防ぐことが出来る。
【００１１】
次に飾り具１について説明する。飾り具１の部品図を図３に示す。図３（ａ）は図３（ｃ）のＡ−Ａ’断面図、図３（ｂ）は正面図、図３（ｃ）は側面図、図３（ｄ）は平面図となっている。
【００１２】
飾り具１は、筆記具の最も前方に該当する天井面１１と、キャップ本体２との嵌合時にキャップ側面に該当する略長方形に形成された表示面１２とが略直角に位置するように構成されている。天井面１１の裏面には略円柱形状から表面が円弧状の突起を連ねた前嵌合部１３と後嵌合部１４が形成されている。嵌合部は一つでも良いが、本実施形態のように前嵌合部１３の外径を後嵌合部１４の外径より大きい径で形成することにより、キャップ本体２への嵌合力をより強くしつつ、かつ容易に飾り具１を挿入することができる。前嵌合部１３と後嵌合部１４の内部は、中心穴１５が形成されている。中心穴１５はキャップ本体２と嵌合した時、キャップ本体２のゲートと接触しないためにある。飾り具１はゲートと接触しないことで、安定した取り付け力を得ることができる。また、天井面１１表面のヒケによる窪み防止を防ぐこともできる。表示面１２の後方の端面１７には、略長方体の突起部１８が形成されている。突起部１８は後方の端面１７に形成することで、キャップ本体２と勘合した飾り具１の表示面１２の浮き上がりを防ぐことができる。突起部１８の幅は、キャップ本体２の挿入孔２７に入る大きさが必要であることから、表示部１２の幅より小さくすることが望ましい。図３では、突起部１８は後方の端面１７の裏面１６側に形成されているが、後方の端部１７の範囲内であれば、表示面１２側に形成しても特に問題は無い。なお飾り具１の材質は、表示部１２への印刷性に優れたＡＢＳ等の樹脂が望ましい。
【００１３】
次にキャップ本体２について説明する。キャップ本体２の部品図を図４に示す。図４（ａ）はキャップ本体の前方からの図、図４（ｂ）は図４（ａ）のＢ−Ｂ’断面図、図４（ｃ）はキャップ本体の平面図、図４（ｄ）は正面図、図４（ｅ）は図４（ａ）のＡ−Ａ’断面図、図４（ｆ）はキャップ本体の後方からの図、図４（ｇ）は図４（ｅ）におけるＣ部の拡大図である。
【００１４】
キャップ本体２は天井部２１と外周部２２で構成される。本実施形態においては、キャップの外形は円形であるが、四角形をはじめとした多角形状でも良い。天井部２１と外周部２２の連続した箇所に飾り具の幅より僅かに太い窪部２３が形成されている。窪部２３は飾り具１を取り付ける際のガイドと取り付けた後の飾り具１の保持の役割がある。窪部２３は断面から見ると略Ｌ字状であり、後方に向かってキャップ本体の略中央まで形成されている。窪部２３の後方の端部２６には、挿入孔２７が形成されている。挿入孔２７の形状は、略長方形である。挿入孔２７の寸法は飾り具１の突起１８の寸法より大きい方が望ましい。更に窪部２３において、キャップ本体２の略中心に飾り具１と嵌合する被嵌合部を形成する。被嵌合部は円弧状の突起を二箇所ある形状で、前方側の円弧状の突起は前被嵌合部２４、後方側の円弧状の突起は後被嵌合部２５となっている。前被嵌合部２４の径は後被嵌合部２５の径より大きく形成することで、飾り具１の挿入を容易にしつつ、組み上げた後は、強い嵌合力を得ることができる。外周部の内部には、内筒部２８が形成されている。未使用時にキャップをすると、内筒部２８に形成された突起と先軸に形成された突起とが嵌合され、ペン芯６を囲繞し外部空間との空気の流通を遮断し、ペン芯６の乾燥を防ぐことができる。天井部２１には、窪部２３、被嵌合部の他に円弧状の長孔である通気孔２９が形成されている。通気孔２９はキャップを間違えて飲み込んでしまった場合、窒息することを防ぐことができる。ただし、外周部２２の外径が大きいキャップでは飲み込むことができないので不要である。なおキャップ本体２の材質は、先軸３との嵌合時において、ペン先６の気密性を考慮し、ポリプロピレン等の樹脂が望ましい。
【００１５】
飾り具１とキャップ本体２の取り付け順を示した斜視図を図５に示す。飾り具１とキャップ本体２は図５の（ａ）、（ｂ）、（ｃ）に示した順に組み付けられる。突起部１８を後方側にして飾り具１が前方からキャップ本体２の窪部２３に沿ってスライドして挿入される。飾り具１の嵌合部とキャップ本体２の被嵌合部が接触し、押し込むと飾り具の突起部とキャップ本体の挿入孔が見えなくなり、キャップが完成される。
【００１６】
本発明の実施形態のキャップとして組み上げた時の外観及び断面図を図６に示す。図６（ａ）はキャップの前方からの図、図６（ｂ）は正面断面図、図６（ｃ）は正面図、図６（ｄ）は平面図、図６（ｅ）は平面断面図、図６（ｆ）は後方からの図である。
【００１７】
組み上げたキャップについて説明する。飾り具１とキャップ本体２は、飾り具の前嵌合部１３とキャップ本体の前被嵌合部２４、飾り具の後嵌合部１４とキャップ本体の後被嵌合部２５が嵌合している。きちんと嵌合している場合、飾り具の天井面１１と飾り具の天井部２１が略同一平面となる。その状態において、飾り具の突起部１８はキャップ本体の挿入孔２７内に入っている。突起部１８が挿入孔２７内に入ることで飾り具の表示部１２の浮き上がりを防止する。突起部１８と挿入孔２７は圧入により嵌合、係止しても良いが、挿入を容易にするため微小な隙間を形成した方が望ましい。微小な隙間は、０．０１ｍｍ〜０．２０ｍｍである。隙間を０．２０ｍｍ以上とすると、使用時において指の爪等が端部に引っかかった際に表示部が浮き上がり易くなり、飾り具１が取り外れる恐れがあるので好ましくない。更に飾り具の表示部１２の表面をキャップ本体の外周部２２と同一平面にして、使用者の手や指で更に取り外れにくくしてもよい。キャップ本体２のみでも先軸３と着脱することは可能であり、落下した時のペン芯６の保護とペン芯６の乾燥を防止することは出来るが、店頭での販売容器等に並べて陳列すると装飾性に劣るため、飾り具１が必要である。
【産業上の利用可能性】
【００１８】
本発明は、キャップに取り付けた飾り具が取り外れや表示部の浮き上がりの心配が無く、装飾性に優れた筆記具用キャップを提供でき、産業に役立つものである。
【符号の説明】
【００１９】
１  飾り具
２  キャップ本体
３  先軸
４  後軸
５  弁棒
６  ペン芯
７  口金
８  中芯
１１  天井面
１２  表示面
１３  前嵌合部
１４  後嵌合部
１５  中心穴
１６  裏面
１７  後方の端面
１８  突起部
２１  天井部
２２  外周部
２３  窪部
２４  前被嵌合部
２５  後被嵌合部
２６  後方の端部
２７  挿入孔
２８  内筒部
２９  通気孔
【図１】
2010173188.tif 000003
【図２】
2010173188.tif 000004
【図３】
2010173188.tif 000005
【図４】
2010173188.tif 000006
【図５】
2010173188.tif 000007
【図６】
2010173188.tif 000008